(57)【要約】【課題】電極と回路基板の電気接続構造の簡略化を図る。【解決手段】回路基板を内装した樹脂製ケース１０の外表面に、回路基板に電気接続された電極１０２Ａ、１０２Ｂが、被験者が接触し得るように露出して設けられた健康指標測定用電子機器１において、ケース１０が、回路基板を収容するケース本体１０Ａと、ケース本体に固定されることで内面が回路基板の側縁部と対向する側部カバー３０とで構成され、側部カバーの内面に挟持片が突設されると共に、側部カバーの表面に、側部カバーの外面から挟持片を含む範囲を連続して被覆する導電膜が形成され、側部カバーがケース本体１０Ａに後付け固定されることにより、一対の挟持片が回路基板の側縁部を挟み込み、その際の挟持片と回路基板の圧接によりカバー表面の導電膜と回路基板上の回路とが導通され、それにより、カバー外面の導電膜が電極として構成されている。【選択図】図１
2005348803.tif 000002
【特許請求の範囲】
【請求項１】
回路基板を内装した樹脂製ケースの外表面に、前記回路基板に電気接続された電極が、被験者が接触し得るように露出して設けられた健康指標測定用電子機器において、
前記ケースと前記回路基板とのいずれか一方に係合凹部を設けると共に他方に係合凸部を設け、前記係合凹部と係合凸部の係合により、前記回路基板上の導体と前記ケースの表面に形成した導電膜とを接触導通させて、前記導電膜により連続して形成された前記電極と前記回路基板上の回路とを電気接続したことを特徴とする健康指標測定用電子機器。
【請求項２】
回路基板を内装した樹脂製ケースの外表面に、前記回路基板に電気接続された電極が、被験者が接触し得るように露出して設けられた健康指標測定用電子機器において、
前記ケースが、前記回路基板を収容するケース本体と、該ケース本体の開口を塞ぎ且つ内面が前記回路基板の側縁部と対向するカバーとで構成され、
前記カバーの内面に少なくとも一対の挟持片が突設されると共に、前記カバーの表面に、カバーの外面からカバーの内面の前記挟持片を含む範囲を連続して被覆する導電膜が形成され、
前記カバーがケース本体の開口を塞ぐように固定された状態で、前記一対の挟持片が前記回路基板の側縁部を挟み込み、その際の挟持片と回路基板の圧接により前記カバーの表面の導電膜と回路基板上の回路とが導通され、それにより、前記カバーの外面の導電膜が前記電極として構成されていることを特徴とする健康指標測定用電子機器。
【請求項３】
前記ケース本体が、左右両側端に長孔状開口を有した正面視略矩形状の薄い箱体として形成され、その左右両側端の長孔状開口を塞ぐ２つの面材として前記カバーが固定され、それにより、ケース本体及び左右２つのカバーよりなる前記ケースが、被験者の左手と右手でケースの両側部を掴んだ際に前記各カバーの外面の電極に被験者の左右の手の内面が接触するように構成されており、更に、そのように左右の手でケースの両側部を掴んだ際に、左右の手の親指の先に当たるケース上の位置に、前記カバー上の電極とはそれぞれ別の左右対をなす電極が設けられ、また、左右の手の間の被験者の正視し得るケース上の位置に、少なくとも測定した健康指標を含む情報を表示するための表示部が設けられ、前記左右で対をなす２対の電極のうちの一対が電流印加用電極、他の一対が電圧測定用電極とされていることを特徴とする請求項２に記載の健康指標測定用電子機器。
【請求項４】
前記カバーが、それぞれ別に成形された、全表面に前記導電膜がメッキされた導電ピースと、導電膜がメッキされていない非導電ピースとの合体品として構成されており、前記ケースを左右の手で掴んだ際に上側となる位置に前記導電ピースが配され、下側となる位置に前記非導電ピースが配されていることを特徴とする請求項３に記載の健康指標測定用電子機器。
【請求項５】
前記カバーが、前記ケース本体の両側部の長孔状開口を塞ぐために長板状に形成され、そのカバーの外面が幅方向にかけて凸に湾曲した曲面として構成され、その凸に湾曲した曲面の少なくとも一部の領域に前記導電ピースが電極として露出していることを特徴とする請求項４に記載の健康指標測定用電子機器。
【請求項６】
前記導電ピースの外面の幅方向中央に凹部が設けられ、その凹部に前記非導電ピースに形成された延出片が、自身の外面により前記凸に湾曲した曲面を導電ピースの外面と共に連続して形成するように嵌め込まれており、それにより、凸に湾曲した曲面の頂部領域が非導電ピースの延出片の外面により構成され、その両側に前記導電ピースの外面が電極として露出していることを特徴とする請求項５に記載の健康指標測定用電子機器。
【発明の詳細な説明】
【技術分野】
【０００１】
本発明は、主として体脂肪等の健康指標（生体情報とも言う）を測定するための電子機器に関する。
【背景技術】
【０００２】
例えば、家庭で体脂肪を測定するための体脂肪計として、４電極式の体内インピーダンス測定法を利用した機器が知られている（例えば、特許文献１参照）。この装置は、電流印加用の１対の電極と、生体インピーダンスを測定するための電圧測定用の１対の電極を備えた装置である。この装置によれば、両手を電極に接触させるだけで、自身で簡単に体脂肪率を測定することができる。
【０００３】
ところで、従来のこの種の健康指標測定用電子機器では、ケースの外部に露出した電極とケースの内部の回路基板との電気接続を、リード線の端部の半田付けで行ったり、導電片の端部のネジ止めで行ったり、コネクタの嵌合で行ったりしているのが一般的であった。
【０００４】
【特許文献１】特開平１０−１７９５３５号公報
【発明の開示】
【発明が解決しようとする課題】
【０００５】
しかし、従来の電極と回路基板との電気接続の構造は、いずれも組立作業が面倒であり、コストがかかるものであった。
【０００６】
本発明は、上記事情を考慮し、電極と回路基板の電気接続構造の簡略化を図ることで、組立コストの削減を図れるようにした健康指標測定用電子機器を提供することを目的とする。
【課題を解決するための手段】
【０００７】
請求項１の発明は、回路基板を内装した樹脂製ケースの外表面に、前記回路基板に電気接続された電極が、被験者が接触し得るように露出して設けられた健康指標測定用電子機器において、前記ケースと前記回路基板とのいずれか一方に係合凹部を設けると共に他方に係合凸部を設け、前記係合凹部と係合凸部の係合により、前記回路基板上の導体と前記ケースの表面に形成した導電膜とを接触導通させて、前記導電膜により連続して形成された前記電極と前記回路基板上の回路とを電気接続したことを特徴とする。
【０００８】
請求項２の発明は、回路基板を内装した樹脂製ケースの外表面に、前記回路基板に電気接続された電極が、被験者が接触し得るように露出して設けられた健康指標測定用電子機器において、前記ケースが、前記回路基板を収容するケース本体と、該ケース本体の開口を塞ぎ且つ内面が前記回路基板の側縁部と対向するカバーとで構成され、前記カバーの内面に少なくとも一対の挟持片が突設されると共に、前記カバーの表面に、カバーの外面からカバーの内面の前記挟持片を含む範囲を連続して被覆する導電膜が形成され、前記カバーがケース本体の開口を塞ぐように固定された状態で、前記一対の挟持片が前記回路基板の側縁部を挟み込み、その際の挟持片と回路基板の圧接により前記カバーの表面の導電膜と回路基板上の回路とが導通され、それにより、前記カバーの外面の導電膜が前記電極として構成されていることを特徴とする。
【０００９】
請求項３の発明は、請求項２において、前記ケース本体が、左右両側端に長孔状開口を有した正面視略矩形状の薄い箱体として形成され、その左右両側端の長孔状開口を塞ぐ２つの面材として前記カバーが固定され、それにより、ケース本体及び左右２つのカバーよりなる前記ケースが、被験者の左手と右手でケースの両側部を掴んだ際に前記各カバーの外面の電極に被験者の左右の手の内面が接触するように構成されており、更に、そのように左右の手でケースの両側部を掴んだ際に、左右の手の親指の先に当たるケース上の位置に、前記カバー上の電極とはそれぞれ別の左右対をなす電極が設けられ、また、左右の手の間の被験者の正視し得るケース上の位置に、少なくとも測定した健康指標を含む情報を表示するための表示部が設けられ、前記左右で対をなす２対の電極のうちの一対が電流印加用電極、他の一対が電圧測定用電極とされていることを特徴とする。
【００１０】
請求項４の発明は、請求項３において、前記カバーが、それぞれ別に成形された、全表面に前記導電膜がメッキされた導電ピースと、導電膜がメッキされていない非導電ピースとの合体品として構成されており、前記ケースを左右の手で掴んだ際に上側となる位置に前記導電ピースが配され、下側となる位置に前記非導電ピースが配されていることを特徴とする。
【００１１】
請求項５の発明は、請求項４において、前記カバーが、前記ケース本体の両側部の長孔状開口を塞ぐために長板状に形成され、そのカバーの外面が幅方向にかけて凸に湾曲した曲面として構成され、その凸に湾曲した曲面の少なくとも一部の領域に前記導電ピースが電極として露出していることを特徴とする。
【００１２】
請求項６の発明は、請求項５において、前記導電ピースの外面の幅方向中央に凹部が設けられ、その凹部に前記非導電ピースに形成された延出片が、自身の外面により前記凸に湾曲した曲面を導電ピースの外面と共に連続して形成するように嵌め込まれており、それにより、凸に湾曲した曲面の頂部領域が非導電ピースの延出片の外面により構成され、その両側に前記導電ピースの外面が電極として露出していることを特徴とする。
【発明の効果】
【００１３】
請求項１の発明によれば、ケースまたは回路基板の一方に形成された係合凹部と他方に形成された係合凸部の係合により、電極と回路基板を電気接続したので、ケース外面の電極と回路基板の接続を含めた組付作業の簡略化を図ることができ、組立コストの低減により機器の低価格化を図ることができる。
【００１４】
請求項２の発明によれば、ケース本体の開口を塞ぐカバー内面の挟持片を回路基板の側縁部に挟み込ませることにより、カバー外表面の電極とケース内部の回路基板とを、連続した導電膜によって簡単確実に電気接続することができる。従って、ケース外面の電極と回路基板の接続を含めた組付作業の簡略化を図ることができ、組立コストの低減により機器の低価格化を図ることができる。
【００１５】
請求項３の発明によれば、被験者がケースの両側部を左右の手で掴むことによって、自動的に手の内面がカバー表面の電極に接触し、親指の先が他の電極対に接触するようにしてあるので、自然な形で手に機器を持つことで電気測定の用意が簡単にできる。
【００１６】
請求項４の発明によれば、電極を設けるカバーを、全表面に導電膜がメッキされた導電ピースと、導電膜がメッキされていない非導電ピースとの合体品として構成したので、メッキで形成する導電膜の面積を必要最小限に留めることができて、メッキコストを最小限に抑えることができる。また、ケース外表面に露出する電極の形状を、導電ピースと非導電ピースの形状の組み合わせにより自由に設定できるので、デザインの自由度を増すことができる。また、ケースを左右の手で掴んだ際に上側となる位置に導電ピースを配し、下側に非導電ピースを配したので、手の内面の親指と人差し指の付け根の部分を確実に無理なく電極に接触させることができ、測定の信頼度アップを図ることができる。
【００１７】
請求項５の発明によれば、長板状に形成したカバーの外面を幅方向にかけて凸に湾曲した曲面として構成し、その凸に湾曲した曲面の少なくとも一部の領域に導電ピースを電極として露出させているので、手のひらと電極の接触性を良好に保つことができ、測定の信頼度アップを図ることができる。
【００１８】
請求項６の発明によれば、カバー外面の凸に湾曲した曲面の頂部領域を非導電ピースの外面で構成し、その両側を導電ピースの外面で構成することにより、凸曲面の頂部領域（長期の使用により一番摩耗しやすいと思われる領域）を敢えて電極から外したので、長期の使用によるメッキ電極の摩耗に伴う接触性（手のひらに対する電極の接触性）の劣化の影響を未然に回避することができる。また、頂部領域の両側のみに電極が露出するので、却って手のひらとの電極との安定的な接触状態を作り出すことができ、測定の信頼度アップを図ることができる。
【発明を実施するための最良の形態】
【００１９】
以下、本発明の実施形態を図面を参照しながら説明する。
図１は実施形態の健康指標測定用電子機器の外観を示し、（ａ）は斜め前方から電子機器を見た斜視図、（ｂ）は側面図である。図２は同電子機器の平面図、図３は内部構造を示す側断面図である。この電子機器１は、主に４電極式測定法を用いて被験者の体脂肪率を測定する機能を備えるもので、そのほかに血圧測定機能も備えている。
【００２０】
この電子機器１の外装体であるＡＢＳ等の樹脂製のケース１０は、前面側の薄い矩形箱型のケース本体１０Ａと、その背後の立て掛け脚部１０Ｂと、ケース本体１０Ａの左右側端部の長孔状開口を塞ぐ一対の面材としての側部カバー３０とから構成されている。前面中心部を表示部２０としたケース本体１０Ａの内部には、図３に示すように、ＬＣＤ表示板２１等の電子部品を搭載した回路基板４０が、ケース本体１０Ａの前面と平行に収納され、ケース本体１０Ａから立て掛け脚部１０Ｂにかけての内部空間には、バッテリ５１を装填するバッテリボックス５０や、血圧測定のための機能部品であるエアポンプ５４やエアコネクタ５６が収納されている。そして、血圧測定用カフの収納空間１２を有した立て掛け脚部１０Ｂを用いてテーブル上に電子機器１を立て掛けることにより、ケース本体１０Ａの前面をやや斜め上に向くような姿勢に保管できるようになっている。
【００２１】
なお、薄い箱体として構成されたケース本体１０Ａは、前面側と後面側がパネル状に分離できるようになっており、回路基板４０等の内装部品を予め後面側のパネルに取り付けた状態で、後から前面側のパネルを合わせて箱体を完成させることができるようになっている。
【００２２】
側部カバー３０は、回路基板４０を収容した後でケース本体１０Ａの側部に後付け固定されたり、回路基板４０の側部に予め装着した状態でケース本体１０Ａの後面側パネルに取り付けられたりするするもので、外表面に体脂肪率測定のための電極１０２Ａ、１０２Ｂを有している。また、ケース本体１０Ａの表示部２０の周囲にも、左右対の電極１０１Ａ、１０１Ｂが設けられている。これらの電極１０１Ａ、１０１Ｂ、１０２Ａ、１０２Ｂは、被験者が手で接触し得るように外部に露出して設けられており、ケース本体１０Ａの内部の回路基板４０上の導体に電気接続されている。
【００２３】
前面上部の左右対の電極１０１Ａ、１０１Ｂは電流印加用電極、側部カバー３０に設けられた左右対の電極１０２Ａ、１０２Ｂは電圧測定用電極である。側部カバー３０の電圧測定用電極１０２Ａ、１０２Ｂは、被験者の左手と右手でケース１０の両側部を掴んだ際に、被験者の左右の手の内面が接触する位置にある。また、電流印加用電極１０１Ａ、１０１Ｂは、そのようにケース１０を掴んだ際に、左右の手の親指の先端腹部が接触する位置にある。また、測定した健康指標を含む各種情報を表示するための表示部２０は、左右の手の間において被験者が正視できる位置にある。また、表示部２０の下側の周囲に、入力のためのキースイッチ８１〜８５が配置されている。
【００２４】
前記側部カバー３０は、ケース本体１０Ａに固定された状態で、内面が回路基板４０の側縁部と対向するようになっている。後述するように側部カバー３０の内面には、３枚が１セットになった挟持片３５が適当セット数だけ突設されており、これら各セットのうちの２枚の挟持片３５を対にして利用することで、回路基板４０の側縁部を挟み込めるようになっている。
【００２５】
図４〜図７は側部カバー３０を取り出して示す図で、図４は外面側から見た拡大斜視図、図５はその分解斜視図、図６は内面側から見た分解斜視図、図７は内面側から見た斜視図、図８は挟持片３５を回路基板４０に嵌めた状態を示す要部拡大断面図である。ケース本体１０Ａに取り付ける左右の側部カバー３０は、同じ構成のものである。
【００２６】
図４〜図７に示すように、側部カバー３０は、紡錘体を半割したような長板状の外観をなし、外面が幅方向にかけて凸に湾曲した曲面として構成され、周縁部に、ケース本体１０Ａに後付けした際にロックする係合突起３３を有している。この場合の側部カバー３０は、それぞれ別に成形された２つのピース３１、３２の接着による合体品として構成されている。第１のピースは全表面に導電膜３６（図８参照）がメッキされた導電ピース３１であり、第２のピースは導電膜がメッキされていない非導電ピース３２である。図１に示すように、ケース１０を左右の手（図示略）で掴んだ際に上側となる位置に導電ピース３１が配され、下側となる位置に非導電ピース３２が配されている。
【００２７】
２つのピース３１、３２は、導電ピース３１の外面壁３１ａの幅方向中央に設けた凹部３１ｂに、非導電ピース３２の外面壁３２ａに延設した延出片３２ｂを嵌め込むと共に、両ピース３１、３２の対向端に設けたロック部３１ｆ、３２ｆを互いに係合した状態で、両者を接着することにより一体に合体されている。なお、延出片３２ｂと凹部３１ｂの重ね合わせ面には、互いに嵌まり合う小ピン孔３１ｃと小ピン３２ｃが設けられている。このように合体することにより、非導電ピース３２の延出片３２ｂの外面と導電ピース３１の外面が、滑らかに連続した凸に湾曲した曲面（側部カバー３０の外面）を形成している。
【００２８】
導電ピース３１は、全体が導電性に優れた金属でメッキされており、表面全部に所定厚の導電層３６（図８）が形成されている。従って、凸に湾曲した曲面の頂部領域が非導電ピース３２の延出片３２ｂの外面により構成され、その両側に導電ピース３１の外面壁３２ａの導電膜が電極１０２Ａ、１０２Ｂとして露出している。
【００２９】
また、各ピース３１、３２の周縁には周縁壁３１ｄ、３２ｄが形成され、外面壁３１ａ、３２ａの内面側にはリブ３１ｅ、３２ｅが設けられている。また、導電ピース３１の内面側には、回路基板４０の側縁部に嵌合する挟持片３５が３枚セットで３セット設けられている。そして、側部カバー３０をケース本体１０Ａの側部に後付け固定することにより、図８に示すように、３枚の挟持片３５のうちの２枚の間に回路基板４０の側縁部を挟み込み、その際の挟持片３５と回路基板４０の圧接（圧接力Ｐ）により、側部カバー３０の表面の導電膜３６と回路基板４０上の回路（導電体）４１とが導通し、それによって、側部カバー３０の外面の導電膜３６が電極１０２Ａ、１０２Ｂとして機能するように構成されている。
【００３０】
以上の構成の電子機器を使用する場合は、まず、電源スイッチを入れる。これによって、回路基板４０に電力が供給される。次に、キー操作により入力モードを選択し、身長、体重、年齢、性別等の被検者の身体特定化情報を入力する。入力が完了した後、電子機器１のケース１０の両側部を前面から両手で掴み、両手の掌部を電圧測定用電極１０２Ａ、１０２Ｂに接触させる。また、両手の親指を開いて親指先端の腹部を電流印加用電極１０１Ａ、１０１Ｂに接触させる。
【００３１】
このように、両手を所定の位置に配置することによって計測準備が完了する。次に、計測開始スイッチ（図示せず）を押して計測を開始する。計測開始スイッチは操作しやすい場所に適宜設けることができるが、電極と一体に設けてもよいし、両手と電極との接触状態を判断して自動的に計測を開始するように構成してもよい。
【００３２】
計測開始スイッチの操作によって電流印加用電極１０１Ａ、１０１Ｂを通じて高周波電流が親指腹部に印加され、この印加電流によって生じる両手間の身体抵抗電位が電圧測定用電極１０２Ａ、１０２Ｂを通じて取り出される。取り出された信号を回路基板４０上の演算装置で処理し、被験者の生体インピーダンスを算出する。また、このインピーダンスの計測値とキー入力された身体特定化情報とを所定のプログラムに従って演算・処理し、体脂肪率等の各種指標を算出し表示部２０に表示する。 
【００３３】
この実施形態の電子機器１では、ケース本体１０Ａの側部開口を塞ぐ側部カバー３０内面の挟持片３５によって回路基板４０の側縁部に挟み込むことができ、それによって側部カバー外表面の電極１０２Ａ、１０２Ｂとケース１０内部の回路基板４０とを、連続した導電膜３６によって電気的に接続することができる。従って、ケース１０外面の電極１０２Ａ、１０２Ｂと回路基板４０の接続を含めた組付作業の簡略化を図ることができ、組立コストの低減により機器１の低価格化を図ることができる。
【００３４】
また、被験者がケース１０の両側部を左右の手で掴むことによって、自動的に手の内面が側部カバー３０表面の電圧測定用電極１０２Ａ、１０２Ｂに接触し、親指の先が電流印加用電極１０１Ａ、１０１Ｂに接触するようにしてあるので、自然な形で手に機器１を持つことで測定の用意が簡単にできる。
【００３５】
また、電極１０２Ａ、１０２Ｂを設ける側部カバー３０を、全表面に導電膜３６がメッキされた導電ピース３１と、導電膜がメッキされていない非導電ピース３２との合体品として構成したので、メッキで形成する導電膜３６の面積を必要最小限に留めることができて、メッキコストを最小限に抑えることができる。また、ケース１０の外表面に露出する電極１０２Ａ、１０２Ｂの形状を、導電ピース３１と非導電ピース３２の形状の組み合わせにより自由に設定できるので、デザインの自由度を増すことができる。また、ケース１０を左右の手で掴んだ際に上側となる位置に導電ピース３１を配し、下側に非導電ピース３２を配しているので、手の内面の親指と人差し指の付け根の部分を確実に無理なく電極１０２Ａ、１０２Ｂに接触させることができ、測定の信頼度アップを図ることができる。
【００３６】
また、長板状に形成した側部カバー３０の外面を幅方向にかけて凸に湾曲した曲面とし、その凸に湾曲した曲面の少なくとも一部の領域に導電ピース３１を電極１０２Ａ、１０２Ｂとして露出させているので、手のひらと電極１０２Ａ、１０２Ｂの接触性を良好に保つことができ、測定の信頼度アップを図ることができる。
【００３７】
また、側部カバー３０の外面の凸に湾曲した曲面の頂部領域を非導電ピース３２の外面で構成し、その両側を導電ピース３１の外面で構成することにより、凸曲面の頂部領域（長期の使用により一番摩耗しやすいと思われる領域）を敢えて電極から外しているので、長期の使用によるメッキ電極１０２Ａ、１０２Ｂの摩耗に伴う接触性（手のひらに対する電極の接触性）の劣化の影響を未然に回避することができる。また、頂部領域の両側のみに電極１０２Ａ、１０２Ｂが露出するので、却って手のひらとの電極１０２Ａ、１０２Ｂとの安定的な接触状態を作り出すことができ、測定の信頼度アップを図ることができる。
【００３８】
なお、上記実施形態では、側部カバー３０側に挟持片３５を設け、これら挟持片３５の間に回路基板４０の側縁部を挟み込むことにより、側部カバー３０側の導電膜３６と回路基板４０側の導体４１との接触導通を図った場合を示したが、回路基板４０側に少なくとも一対の挟持片を設け、側部カバー３０側にそれら挟持片の間に挟み込まれる部分を設けて、それらの係合により回路基板４０と側部カバー３０の接触導通を図ってもよい。
【００３９】
また、ケースと回路基板のいずれか一方に係合凹部を設けると共に他方に係合凸部を設け、係合凹部と係合凸部の係合により、回路基板上の導体とケースの表面に形成した導電膜とを接触導通させて、導電膜により形成された電極と回路基板上の回路との電気接続を図ってもよい。
【図面の簡単な説明】
【００４０】
【図１】本発明の実施形態の健康指標測定用電子機器の外観を示し、（ａ）は斜め前方から電子機器を見た斜視図、（ｂ）は側面図である。
【図２】同電子機器の平面図である。
【図３】同電子機器の内部構造を示す側断面図である。
【図４】同電子機器の側部カバーを取り出して示す外面側から見た拡大斜視図である。
【図５】同側部カバーの分解斜視図である。
【図６】同側部カバーの内面側から見た分解斜視図である。
【図７】同側部カバーの内面側から見た斜視図である。
【図８】同側部カバーの内面に突設した挟持片を回路基板に嵌めた状態を示す要部拡大断面図である。
【符号の説明】
【００４１】
１  電子機器
１０  ケース
１０Ａ  ケース本体
２０  表示部
３０  側部カバー
３１  導電ピース
３２  非導電ピース
３５  挟持片
３６  導電膜
１０１Ａ，１０２ｂ  電流印加用電極
１０２Ａ，１０２Ｂ  電圧測定用電極
【図１】
2005348803.tif 000003
【図２】
2005348803.tif 000004
【図３】
2005348803.tif 000005
【図４】
2005348803.tif 000006
【図５】
2005348803.tif 000007
【図６】
2005348803.tif 000008
【図７】
2005348803.tif 000009
【図８】
2005348803.tif 000010